(57)【要約】【課題】  漏水を防止するために止水が重要となる軒樋内側角部の頂点に対して効果的に押圧力を付与する軒樋継手を提供する。【解決手段】  軒樋内側に当接嵌合する略方形筒状の第一継手１０と、第一継手１０の上面に押接するように係合する第二継手２０とからなる軒樋継手１であって、第一継手１０の上面は凹状湾曲面１４であり、この第一継手１０の上面に押接する第二継手２０の押圧力が第一継手１０と軒樋３０との当接面全域に及び、止水重要部である軒樋内側角部３５の頂点に対しても効果的に押圧力を付与する。【選択図】 図１
2008031659.tif 000002
【特許請求の範囲】
【請求項１】
相対向する軒樋の端部を連結する軒樋継手であって、軒樋内側に当接嵌合する略方形筒状の第一継手と、第一継手の上面に押接するように係合する第二継手とからなり、第一継手の上面は凹状湾曲面であり、この第一継手の上面に押接する第二継手の押圧力が第一継手と軒樋との当接面全域に及ぶことを特徴とする軒樋継手。
【発明の詳細な説明】
【技術分野】
【０００１】
本発明は、相対向する軒樋の端部を連結する軒樋継手に関する。さらに詳しくは、軒樋の端部同士を連結し、雨、雪等によって軒樋内に流れる水の漏水を防ぐ軒樋継手に関する。
【背景技術】
【０００２】
軒樋を連結して設置する場合には、相対向する軒樋の端部に軒樋継手を介在させる施工方法が採用されている。
【０００３】
すなわち、軒樋の内面形状に合致した軒樋継手を軒樋の連結部内面に嵌合し、また両者を接着固定することによって、軒樋の連結部における形状連続性が保たれ、これによって連結部における漏水が防止（止水）されている。
【０００４】
このような軒樋継手は、例えば、図３に示したように、その前面壁５１の上端と後面壁５２の上端をそれぞれ軒樋３０の軒樋前耳部３２、軒樋後耳部３４に係合することによって、軒樋３０の連結部内面に嵌合される。この時、図中矢印で示した押圧力によって軒樋継手５０は軒樋３０に押圧され、密着する。
【０００５】
ところが、図３に示したように、軒樋継手５０を軒樋３０に押圧する力は下方向に限られるため、止水にとって重要な箇所（止水重要部）である軒樋内側角部３５に対する押圧力が不足する。
【０００６】
なお特許文献１には、図４に示したように、軒樋３０の連結部内面に嵌合する継手本体６１と、この継手本体６１を軒樋３０の連結部内面に押圧するための補強継手部材６２からなる軒樋継手６０が開示されている。この特許文献１の軒樋継手６０の場合には、補強継手部材６２の押圧力によって継手本体６１がより強く軒樋３０に押付けられ、特に軒樋３０と継手本体６１との間の接着剤が拡散して両者の密着性が向上するという利点を有している。しかしながら、継手本体６１に対する補強継手部材６２の押圧力は矢印にて示すように下方向および水平方向であるため、止水重要部である軒樋内側角部３５に対する押圧力も下方向および水平方向に限定され、効果的な押圧力が付与されていない。
【特許文献１】特開２００２−１６７９１６号公報
【発明の開示】
【発明が解決しようとする課題】
【０００７】
前記のとおり、軒樋継手の止水性を向上させるには軒樋と軒樋継手の密着力をさらに向上させる必要があり、特に止水重要部である軒樋内側角部においては、その頂点に対して効果的な押圧力を付与することが重要である。
【０００８】
本発明は、以上の通りの事情に鑑みてなされたものであり、軒樋内面に均等に押圧力を加えて、止水重要部である軒樋内側角部の頂点に対しても効果的に押圧力を付与する軒樋継手を提供することを課題としている。
【課題を解決するための手段】
【０００９】
本発明は、上記の課題を解決するために、第１に、相対向する軒樋の端部を連結する軒樋継手であって、軒樋内側に当接嵌合する略方形筒状の第一継手と、第一継手の上面に押接するように係合する第二継手とからなり、第一継手の上面は凹状湾曲面であり、この第一継手の上面に押接する第二継手の押圧力が第一継手と軒樋との当接面全域に及ぶことを特徴としている。
【発明の効果】
【００１０】
上記第１の発明によれば、第一継手の第二継手との当接面が凹状湾曲面であることにより、放射状に押圧力が発生し、止水重要部である軒樋内側角部に対して効果的に押圧力をかけることができ、止水性を向上させることができる。
【発明を実施するための最良の形態】
【００１１】
図１は、本発明の軒樋継手の実施形態を示した断面図であり、軒樋３０に対して軒樋継手１（第一継手１０、第二継手２０）を取付ける過程を示す。
【００１２】
軒樋３０は、軒樋前面壁３１の上端に軒樋前耳部３２、軒樋後面壁３３の先端に軒樋後耳部３４を有している。特に軒樋前耳部３２は、軒樋３０の内側方向に折り曲げられた軒樋前面壁３１の上端に設けられている。
【００１３】
第一継手１０は、前面壁１１、後面壁１２、下面壁１３、および上部の凹状湾曲面１４によって略方形筒状の構造を形成している。凹状湾曲面１４は、後面壁１２の中程から前面壁１１の上端と結合している。後面壁１２と凹状湾曲面１４との接合部の直上には、内方に突出した係合片１５が設けられている。この係合片１５は、凹状湾曲面１４と後面壁１２との接点における凹状湾曲面１４の湾曲線の傾きと略平行に設置されている。凹状湾曲面１４と下面壁１３の段角部１６とは連結部材１７によって連結されている。
【００１４】
第二継手２０は、第一継手１０の凹状湾曲面１４と略同一曲面形状の凹状押付部２１の先端を有する。そして、凹状押付部２１の先端から上後方へ立ち返る首部２２と、首部２２の上に設けられた口部２３と、口部２３の上に設けられた持ち手２４によって構成されている。
【００１５】
軒樋３０に対して軒樋継手１（第一継手１０、第二継手２０）を取付ける場合には、以下のように行うことができる。
【００１６】
まず、接着剤を軒樋３０の内面に塗布した後、上記第一継手１０を軒樋３０内へ挿入し、矢印Ａのように回転させながら、後面壁１２の上端部を、軒樋後耳部３４に係止させて、前面壁１１、後面壁１２、下面壁１３を軒樋３０内側に当接嵌合させる（図１ａ→ｂ）。
【００１７】
続いて、矢印Ｂのように第二継手２０の後端部を凹状湾曲面１４と係合片１５の隙間に挿入し、矢印Ｃの方向に凹状湾曲面１４に凹状押付部２１を押付けながら密着させ、軒樋前耳部３２に口部２３を嵌合させる（図１ｂ→ｃ）。なお、取外し方法としては、持ち手２４を持ち、後ろ方向へ押せば容易に取り外すことができる。
【００１８】
軒樋は、一般的に金属製や樹脂製と特に制限されるところはなく、例えば金属製の芯材板の両面に合成樹脂層を積層化した板材の折曲成形体などが考慮される。したがって、本発明における第一継手、第二継手の材質としては、軒樋同様に特に制限されるところはないが、軒樋と同一の材質を用いることで製造コストが軽減できるため好適に用いることができ、第一継手および第二継手の各面、各部は、それぞれが溶接されたものでもよいし、接着されたものや一枚の板材を折曲したものでもよい。
【００１９】
軒樋の形状については、例えば、軒樋前面壁が、図１、２で例示されるような略直立壁状でもよいし、図３で例示されるような傾斜壁状でもよいし、曲面壁状でもよく、これら軒樋形状に応じた第二継手の形状を適宜選択して、押圧力の反作用の力によって第二継手が外れないような第二継手の形状が必要となる。また、下面についても当然に、図１〜４に例示されるように段形状でもよいし、あるいは平面形状でもよく、これら軒樋形状に応じた第一継手の形状を選択すればよい。
【００２０】
本発明における第一継手１０の凹状湾曲面１４と下面壁１３を介在する連結部材１７は、軒樋３０の底面が段部を有する場合（図１、２）に、特に有効に作用する。第二継手２０によって与えられた放射状の押圧力が連結部材１７を通じて段部に加わり、また、大きな変形を防いで放射状の押圧力が逃げないように補助する効果を有する。
【００２１】
以上のような本発明によって、図２に示したように第二継手２０によって第一継手１０の凹状湾曲面１４の湾曲近似円の中心点４０から放射状に押圧力が加えられ、水漏れの原因となりやすい止水重要部である軒樋内側角部３５にも均等に押圧力が加わり、接着剤が均等に広がり、より密着性を向上させることができる。
【００２２】
もちろん本発明は以上の例に限定されるものではなく、細部については様々な態様が可能であることは言うまでもない。
【図面の簡単な説明】
【００２３】
【図１】本発明の軒樋継手の実施形態を示した断面図であり、軒樋に対して軒樋継手（第一継手、第二継手）を取付ける過程を示す。
【図２】本発明の軒樋継手の実施形態を示した断面図である。
【図３】軒樋に従来の軒樋継手を取付けた状態を例示した断面図である。
【図４】軒樋に従来の継手本体と補強継手部材からなる軒樋継手を取付けた状態を例示した断面図である。
【符号の説明】
【００２４】
１軒樋継手
１０第一継手
１４凹状湾曲面
２０第二継手
３０軒樋
【図１】
2008031659.tif 000003
【図２】
2008031659.tif 000004
【図３】
2008031659.tif 000005
【図４】
2008031659.tif 000006